(57)【要約】      （修正有）【課題】効率的な回収が可能で、かつ吸引掃除機内の故障が起こり難いパチンコ玉やコインの回収器具を提供する。【解決手段】吸引掃除機の吸引先端と吸引掃除機本体間に設置されるパチンコ玉やコインの回収器具１であって、ケース本体４と、このケース本体内に取り外し自在にセットされる網ケース５と、ケース蓋体６との組み合わせで回収器具を構成し、この回収器具の上部に導入パイプ７を取り付けると共に回収器具の下部には排出パイプ８を取り付け、少なくともケース本体を透明又は半透明体で形成し、前記網ケースの網目をパチンコ玉やコインが通過できない程度の大きさに形成し、パチンコ玉やコインが導入パイプから直接衝突する網ケースの対応箇所にはマット９を取り付けたことを特徴とするパチンコ玉やコインの回収器具である。【選択図】図１
0003122378.tif 000002
【実用新案登録請求の範囲】
【請求項１】
吸引掃除機の吸引先端と吸引掃除機本体間に設置されるパチンコ玉やコインの回収器具であって、
ケース本体と、このケース本体内に取り外し自在にセットされる網ケースと、ケース蓋体との組み合わせで回収器具を構成し、
この回収器具の上部に導入パイプを取り付けると共に回収器具の下部には排出パイプを取り付け、少なくともケース本体を透明又は半透明体で形成し、前記網ケースの網目をパチンコ玉やコインが通過できない程度の大きさに形成し、パチンコ玉やコインが導入パイプから直接衝突する網ケースの対応箇所にはマットを取り付けたことを特徴とするパチンコ玉やコインの回収器具。
【請求項２】
回収器具の下面に移動用のキャスターを備えてなる請求項1記載のパチンコ玉やコインの回収器具。
【考案の詳細な説明】
【技術分野】
【０００１】
本考案は、主としてパチンコ店内の床などに散乱したパチンコ玉や遊戯機用のコインを回収するためのパチンコ玉やコインの回収器具に関する。
本明細書でパチンコ玉とは、パチンコ遊技台で使用される鋼球製のパチンコ玉の意味であり、コインとは、スロットマシーンなどの遊技台で使用される金属製のコインのことである。
【背景技術】
【０００２】
従来、遊戯者がこぼしたりした、あるいは遊技台へのパチンコ玉やコインの補給時にあふれたパチンコ玉などが、パチンコ店内の歩行通路や遊技台の裏側に散乱している場合がある。この散乱状態を放置しておくと、歩行通路を歩く顧客が滑って転倒したり、あるいは電気配線のあるところでは、配線に金属製のパチンコ玉やコインが当たってショートを起こす原因となる危険がある。
このため散乱状態にあるパチンコ玉やコインは、可及的速やかに、定期的に回収されなければならないが、現実の回収方法としては、一般的に手でひとつずつ拾い上げるとか、先端に磁石を設けた回収棒に吸着させて回収するということが行われていた。
【０００３】
さらに特許文献１に示されるように、家庭用電気掃除機等からなる吸引掃除機を利用して、一次フィルターと集塵フィルターとを別個に設け、目の粗い一次フィルター部分でパチンコ玉やコインを回収する方法も考えられている。
【０００４】
【特許文献１】特開２００１−５７９５４号公報
【考案の開示】
【考案が解決しようとする課題】
【０００５】
しかし、特許文献１に示される吸引掃除機にあっては、単に吸引掃除機の集塵フィルターの手前側に目の粗い一次フィルターを取り付けただけの構成であったため、これをそのままパチンコ玉やコインを回収するための道具として使用しても、効率的な回収が困難であるばかりか、金属製で相当重量のあるパチンコ玉やコインを吸引掃除機内に急速度で吸引させると、吸引回収時に大きな衝撃力が発生して、吸引掃除機内の一次フィルターなどを短時間で破壊してしまうという問題点があった。
本考案は、上述の問題点をすべて解消した、使い勝手に優れかつ吸引掃除機内の故障が起こり難いパチンコ玉やコインの回収器具を提供するものである。
【課題を解決するための手段】
【０００６】
上記目的を達成するために請求項１の考案は、吸引掃除機の吸引先端と吸引掃除機本体間に設置されるパチンコ玉やコインの回収器具であって、ケース本体と、このケース本体内に取り外し自在にセットされる網ケースと、ケース蓋体との組み合わせで回収器具を構成し、この回収器具の上部に導入パイプを取り付けると共に回収器具の下部には排出パイプを取り付け、少なくともケース本体を透明又は半透明体で形成し、前記網ケースの網目をパチンコ玉やコインが通過できない程度の大きさに形成し、パチンコ玉やコインが導入パイプから直接衝突する網ケースの対応箇所にはマットを取り付けたことを特徴とするパチンコ玉やコインの回収器具である。
【０００７】
また請求項２の考案は、回収器具の下面に移動用のキャスターを備えてなる請求項1記載のパチンコ玉やコインの回収器具である。
【考案の効果】
【０００８】
上記した請求項1に係るパチンコ玉やコインの回収器具は、吸引掃除機の吸引先端と吸引掃除機本体間に設置するだけで、確実にパチンコ店内に散乱しているパチンコ玉やコインを導入パイプから網ケース内に回収することができ、その際に同時吸引されたエアーと塵埃は排出パイプを通過して吸引掃除機内に送られ、その後は従来と同様に塵埃は吸引掃除機内の塵埃用フィルターで捕捉されることとなる。
【０００９】
したがって、パチンコ玉やコインは確実に本回収器具の網ケース内に回収され、ある程度たまった段階（ケース本体は透明体又は半透明体であるから、内部のたまり具合が確実に透視できる）で網ケースをケース本体から取り出せば、パチンコ玉やコインの完全回収が可能となり、網ケース内部のパチンコ玉やコインを取り出した後は、その網ケースは再度ケース本体内にセットされ次の回収に備えることとなる。
このようにして確実なパチンコ玉やコインの回収が行え、その際網ケースはマットの存在によりパチンコ玉やコインの衝突力が和らげられるので、回収器具の破損が起こりにくいという効果がある。
【００１０】
また請求項２に係る考案は、回収器具をある程度大型のものにした場合でも、回収器具の下面には移動用のキャスターが備えられているため、回収器具全体が安定的に床面を水平移動することができ、操作性に優れた回収作業を行えるという効果がある。
【考案を実施するための最良の形態】
【００１１】
以下添付図面に基づいて、本考案に係るパチンコ玉やコインの回収器具の一実施の形態を詳説する。
図１は本考案に係る第１実施の形態のパチンコ玉やコインの回収器具を示す分解斜視図、図２は同組み立て状態を示す斜視図、図３は回収器具内にパチンコ玉を回収した状態の斜視図、図４及び図５は回収器具の使用状態を示す使用説明図である。
【００１２】
図１に示す第１実施の形態のパチンコ玉やコインの回収器具１は、吸引掃除機の吸引先端（吸い込みノズル）２と吸引掃除機本体３の間に設置されるもので、符号１２は掃除機用ホースである。この吸引掃除機本体３は、通常の電気掃除機で代用することが可能で、その内部には室内ゴミなどを捕捉する集塵フィルター（図示しない）が備えられている。
【００１３】
回収器具１は、ケース本体４と、このケース本体４内に取り外し自在にセットされる網ケース５と、ケース本体４に冠設されるケース蓋体６とを組み合わせることで構成されている。ケース本体４は、透明又は半透明の素材で形成され、その内部が透視できるようになっている。
【００１４】
ここで金属細棒などを交差させて形成される網ケース５には、例えばその上端付近にフック１３が形成されており、ケース本体４の上端には凹陥部１４が形成されているので、このフック１３を凹陥部１４に引っ掛けることで、網ケース５をケース本体４に安定的かつ確実に係止でき、またその取り外しも簡単に行えるようにしている。この網ケース５は、パンチングメタルなどの孔開き鋼鈑で形成することも可能である。
【００１５】
さらに網ケース５の網目の大きさは、パチンコ玉１０やコインが通過できない程度の大きさに形成しているので、網ケース５内にパチンコ玉１０などを回収した際に、網ケース５からパチンコ玉１０などがこぼれだす心配はない。
【００１６】
ついで回収器具１の上部（ケース蓋体６又はケース本体４のいずれの位置であってもかまわない）には導入パイプ７が取り付けられ、回収器具１の下部（ケース本体４の下部に相当する位置）には排出パイプ８が取り付けられ、導入パイプ７の先端側は吸引掃除機の吸引先端２と連通するように接続され、排出パイプ８の先端側は吸引掃除機本体３と連通するように接続され、各接続部には必要に応じて掃除機用ホース１２が介在される。前記導入パイプ７の先端は必要に応じて、後述するマット９の設置位置方向に向けることが好ましい。
【００１７】
また前記導入パイプ７位置を通過したパチンコ玉１０などが、網ケース５に直接衝突する網ケース上の対応箇所には、その衝撃を吸収する目的でマット９が取り付けられている。このマット９としては、適度の弾力性を有する布、ゴム、合成樹脂などの適宜厚さの素材を一種または複数種重ね合わせた構造のものであり、このマット９の存在により、網ケース５に対するパチンコ玉１０などの衝突力が和らげられ、網ケース５の保護が図られる結果となる。
【００１８】
さらに本考案の第２実施の形態のパチンコ玉やコインの回収器具を説明すると、回収器具１を大型のものにした場合には、回収器具１の下面に移動用のキャスター１１を備えることが好ましく、このキャスター１１の存在により回収器具１全体が安定的に床面を水平移動することができ、操作性に優れた回収作業が行える。
【００１９】
このため本考案を使用する際には、まず図４又は図５に示すような配置で回収器具１を吸引掃除機本体３に接続し、吸引掃除機の操作スイッチをオンにして吸引先端（吸い込みノズル）２より散乱しているパチンコ玉１０などを回収器具１内に吸引する。この吸引に際し、パチンコ玉１０などは吸引先端（吸い込みノズル）２から掃除機用ホース１２、導入パイプ７を経由してマット９に衝突し、網ケース５内に回収される。
【００２０】
網ケース５の位置では、パチンコ玉１０など網ケース５の網目を通過しないものだけが残され、小さなゴミや吸い込みエアーなどはケース本体４下部の排出パイプ８を経て吸引掃除機本体３に至り、その中にある集塵フィルターで除塵される。
【００２１】
網ケース５内にパチンコ玉１０がたまったら、フック１３を凹陥部１４から外して網ケース５をケース本体４から取り出し、内部のパチンコ玉１０などを回収する。回収が終了したら再度フック１３を凹陥部１４に係止させて次の回収の準備をする。
【産業上の利用可能性】
【００２２】
なお、本考案のパチンコ玉用回収器具は、本実施の形態に限定されることなく、本考案の目的の範囲内で自由に変更し得るものであり、本考案はそれらの全てを包摂するものである。
【図面の簡単な説明】
【００２３】
【図１】本考案に係る第１実施の形態のパチンコ玉やコインの回収器具を示す分解斜視図である。
【図２】同組み立て状態を示す斜視図である。
【図３】回収器具内にパチンコ玉を回収した状態の斜視図である。
【図４】回収器具の使用状態を示す使用説明図である。
【図５】回収器具の使用状態を示す使用説明図である。
【符号の説明】
【００２４】
１…回収器具
２…吸引先端
３…吸引掃除機本体
４…ケース本体
５…網ケース
６…ケース蓋体
７…導入パイプ
８…排出パイプ
９…マット
１０…パチンコ玉
１１…キャスター
１２…掃除機用ホース
１３…フック
１４…凹陥部
【図１】
0003122378.tif 000003
【図２】
0003122378.tif 000004
【図３】
0003122378.tif 000005
【図４】
0003122378.tif 000006
【図５】
0003122378.tif 000007